(57)【要約】  【課題】複数の誘導手段（釘等）の配置が所定の配置であるか否かを、配置確認手段（ゲージ等）を用いて確認可能にした遊技機を提供する。  【解決手段】遊技機(1) は、遊技盤(4) に取り付けられた複数の釘等の誘導手段(10)の配置が遊技機(1)の製造・出荷時に設定された所定の配置であるか否かを、配置確認手段(30D)を用いて確認可能であり、配置確認手段(30D)の識別表示(34C)を遊技盤(4)に設けられた識別手段(50)と合致させると共に第１，第２表示(32Ca,36,32C)を第１，第２誘導手段(10a〜10f，10a〜10f以外の10)と合致させることにより誘導手段(10a〜10f，10a〜10f以外の10)が所定の配置であるか否か、を識別可能とする。【選択図】  図１７
2019135008.tif 000002
【特許請求の範囲】
【請求項１】
遊技機の遊技盤の前側に配置可能であり且つ透過性を有するとともに、
前記遊技機の製造・出荷時に設定された第１誘導手段の所定の配置に対応する第１表示と、
前記遊技機の製造・出荷時に設定された第２誘導手段の所定の配置に対応する前記第１表示と表示態様の異なる第２表示と、
前記第１表示と前記第２表示とが近接して設けられた第１グループと、
前記第１グループとは離間した位置に別途設けられ且つ前記第１表示と前記第２表示とが近接して設けられた第２グループと、
遊技機の遊技盤に設けられた識別手段の前側に配置可能であって前記識別手段と合致可能な識別表示と、を有する配置確認手段を用いて、
前記複数の第１，第２誘導手段が前記遊技機の製造・出荷時に設定された配置であるか否かを確認可能な遊技機であって、
識別表示を識別手段と合致させると共に第１，第２表示を第１，第２誘導手段と合致させることにより前記第１グループの誘導手段が所定の配置であるか否か、
識別表示を識別手段と合致させると共に第１，第２表示を第１，第２誘導手段と合致させることにより前記第２グループの誘導手段が所定の配置であるか否か、
を識別可能としたことを特徴とする遊技機。
【発明の詳細な説明】
【技術分野】
【０００１】
本発明は遊技機に関し、特に、複数の誘導手段の配置が所定の配置であるか否かを、配置確認手段を用いて確認可能にしたものである。
【背景技術】
【０００２】
従来、パチンコ遊技機に代表される遊技機においては、遊技盤に複数の釘（障害釘）と各種入賞口（始動口、大入賞口等）が取り付けられ、遊技者は、発射ハンドルを操作して、これらの釘及び入賞口を有する遊技領域に複数の遊技球を順次発射させ、その遊技領域を流下する多くの遊技球が入賞口に入賞することを期待して遊技を行うことができる。
【０００３】
遊技領域を流下する複数の遊技球は、夫々その流下途中で幾つかの釘に繰り返し接触（衝突）し、減速されたり方向変換されたりして、こうした釘による誘導によって入賞口に入賞しない、或いは入賞することが可能になる。このように、複数の釘は遊技領域における遊技球の流下を制御するものとなり、その中でも遊技球が入賞口に入賞し易いか否かが決められる命釘等の主要な釘は、遊技機の性能において重要な役割を果たす。
【０００４】
ここで、遊技ホールに設置された遊技機の複数の釘の配置が、同遊技機の出荷時（製造時）の複数の釘の配置と異なっていると、釘が当初の状態から故意に曲げられている（不正な改造が行われている）虞があり、特にその曲げられた釘が命釘等の主要な釘であると、当該遊技機の所期の性能（出玉率等）が得られない虞がある。尚、遊技盤に対して、その遊技盤に転写された絵柄のズレを確認するために、遊技盤にズレ確認用の印（穴）を形成した技術（特許文献１参照）が公知である。
【先行技術文献】
【特許文献】
【０００５】
【特許文献１】特開２０１４−２８２２０号公報
【発明の概要】
【発明が解決しようとする課題】
【０００６】
従来の遊技機では、遊技盤に取り付けられた複数の釘の配置が所定の配置であるかを確認することが難しいという課題がある。
本発明の目的は、複数の誘導手段（釘等）の配置が所定の配置であるか否かを確認可能にした遊技機を提供することである。
【課題を解決するための手段】
【０００７】
本発明は、遊技機(1)の遊技盤(4)の前側に配置可能であり且つ透過性を有するとともに、
前記遊技機(1)の製造・出荷時に設定された第１誘導手段(10a〜10f)の所定の配置に対応する第１表示(32Ca,36)と、前記遊技機(1)の製造・出荷時に設定された第２誘導手段(10a〜10f以外の10)の所定の配置に対応する前記第１表示(32Ca,36)と表示態様の異なる第２表示(32C)と、前記第１表示(32Ca,36)と前記第２表示(32C)とが近接して設けられた第１グループと、前記第１グループとは離間した位置に別途設けられ且つ前記第１表示と前記第２表示とが近接して設けられた第２グループと、遊技機(1)の遊技盤(4)に設けられた識別手段(50)の前側に配置可能であって前記識別手段(50)と合致可能な識別表示(34C)と、を有する配置確認手段を用いて、前記複数の第１，第２誘導手段(10a〜10f，10a〜10f以外の10)が前記遊技機(1)の製造・出荷時に設定された配置であるか否かを確認可能な遊技機(1)であって、識別表示(34C)を識別手段(50)と合致させると共に第１，第２表示(32Ca,36,32C)を第１，第２誘導手段(10a〜10f，10a〜10f以外の10)と合致させることにより前記第１グループの誘導手段(10a〜10f，10a〜10f以外の10)が所定の配置であるか否か、識別表示(34C)を識別手段(50)と合致させると共に第１，第２表示(32Ca,36,32C)を第１，第２誘導手段(10a〜10f，10a〜10f以外の10)と合致させることにより前記第２グループの誘導手段(10a〜10f，10a〜10f以外の10)が所定の配置であるか否か、を識別可能としたことを特徴とする。
【発明の効果】
【０００８】
本発明によれば、複数の誘導手段の配置が所定の配置であるか否かを確認することができる。
【図面の簡単な説明】
【０００９】
【図１】本発明の実施例１に係るパチンコ遊技機の斜視図である。
【図２】開閉扉が開けられたパチンコ遊技機とゲージボードの斜視図である。
【図３】パチンコ遊技機の開閉扉とゲージボードの背面図である。
【図４】パチンコ遊技機の遊技盤の正面図である。
【図５】図４のV −V 線断面図である。
【図６】ゲージボードの正面図である。
【図７】図６のVII −VII 線断面図である。
【図８】パチンコ遊技機の開閉扉とゲージボードの断面図である。
【図９】図６のゲージボードを用いた釘の配置確認に関する図である。
【図１０】図９相当図である。
【図１１】実施例２のゲージボードの正面図である。
【図１２】実施例２のパチンコ遊技機の開閉扉とゲージボードの背面図である。
【図１３】実施例３のゲージボードの正面図である。
【図１４】図１３にＡで示す部分の拡大図である。
【図１５】変形例に係る図１４相当図である。
【図１６】実施例４のゲージボードの正面図である。
【図１７】図１６のゲージボードを用いた釘の配置確認に関する図である。
【図１８】図１７相当図である。
【図１９】実施例５のゲージボードの正面図である。
【図２０】図１９にＢで示す部分の拡大図である。
【発明を実施するための形態】
【００１０】
以下、発明を実施するための形態について実施例に基づいて説明する。本実施例は、遊技盤に複数の釘が取り付けられたパチンコ遊技機に本発明を適用したものである。
【実施例１】
【００１１】
図１〜図４に示すように、パチンコ遊技機１には、遊技ホールの島構造に取り付けられる外枠（図示略）に開閉枠２（内枠２）が開閉可能に装着され、この開閉枠２に開閉扉３が開閉可能に装着されている。
【００１２】
開閉扉３に窓３ａが形成され、この窓３ａに透明なガラス３ｂが取り付けられている。開閉枠２の左端部に、開閉扉３の左端部がヒンジ機構３ｃを介して鉛直軸心回りに回動自在に支持され、開閉扉３の右端部に、開閉扉３を閉じた状態で開閉枠２に施錠するキーシリンダ３ｄが取り付けられている。
【００１３】
開閉枠２に合板製（又は合成樹脂製）の遊技盤４が装着され、開閉扉３が閉じられた状態で、開閉扉３のガスラ３ｂが遊技盤４と平行になり、遊技盤４を視認可能にその前側がガスラ３ｂにより覆われて、遊技盤４とガラス３ｂとの間に遊技球が流下可能な遊技領域４ａが形成され、開閉扉３が開けられると、遊技盤４（遊技領域４ａ）の前側が開放される。開閉枠２には、遊技盤４の下側に枠下部ベース２ａが設けられ、この枠下部ベース２ａに発射装置５が装着されている。
【００１４】
開閉扉３には、窓３ａの下側に遊技球を貯留する貯留皿６ａを有する皿ユニット６が設けられ、この皿ユニット６に演出ボタン７ａと十字キー７ｂとエンターボタン７ｃが装着され、皿ユニット６の右下側に発射ハンドル８が装着されている。
【００１５】
発射ハンドル８が回動操作されると、発射装置５の電動モータ（図示略）が駆動されて打撃槌（図示略）が作動し、貯留皿６ａから発射位置に導入された遊技球が打撃槌により打撃されて発射され、貯留皿６ａに複数の遊技球が貯留されている場合、複数の遊技球が約0.6 秒間隔で連続的に発射される。発射された遊技球は、遊技盤４に取り付けられたガイドレール９で案内され遊技領域４ａの上部に導入され、遊技領域４ａを流下する。
【００１６】
ここで、図２、図３に示すように、開閉扉３は、ガラス３ｂを着脱可能に取り付けるガラス取付手段３ｅを有する。ガラス３ｂは、その外形が窓３ａよりも少し大きく且つ窓３ａに応じた形状に形成され、ガラス取付手段３ｅは、このガラス３ｂを開閉扉３にその裏面側から着脱可能なものであり、開閉扉３の所定のガラス取付位置に嵌め合わせて（位置決めして）取り付け可能なものであり、ガラス３ｂの上部の左右両側部分、及び下部の左右両側部分を夫々固定解除可能に固定する４つの固定部３ｆを有する。
【００１７】
各固定部３ｆは、開閉扉３の裏面部のうち窓３ａに比較的近い部分に設けられ、ガスラ３ｂの面と直交する軸心回りに回動可能な可動部３ｇを有する。開閉扉３が開けられた状態で、この可動部３ｇを操作して、固定位置（図３（２））と解除位置（図３（３））とに切り換え可能であり、４つの固定部３ｆの可動部３ｇを解除位置に切り換えた状態で、ガラス３ｂを開閉扉３に着脱可能になり、開閉扉３のガラス取付位置に嵌め合わせて、４つの固定部３ｆの可動部３ｇを固定位置に切り換えて、ガラス３ｂが開閉扉３に取り付けられた状態になる。
【００１８】
図４に示すように、遊技領域４ａには、複数の誘導手段である釘１０（障害釘１０）と、入賞口である第１始動口１１、開閉式の第２始動口１２、ゲート１３、開閉式の大入賞口１４、及び複数の一般入賞口１５が、図示の配置で設けられ、これら複数の釘１０と、入賞口１１〜１５を形成する各種部材や装置が遊技盤４に取り付けられ、また、遊技盤４には、遊技領域４ａの下端に位置する排出口１６が形成されている。
【００１９】
図５に示すように、複数の釘１０は、夫々、先端が尖った後側部分が遊技盤４にその前側から圧入状に取り付けられ、遊技盤４の前側へ突出する部分が遊技球と接触（衝突）する部分となり、前端部にそれ以外の部分よりも大径の頭部１０ａを有し、開閉扉３が閉じられた状態で、複数の釘１０の頭部１０ａがガラス３ｂの後面（内面）に僅かな隙間を空けて近接する。
【００２０】
遊技領域４ａを流下する遊技球が入賞口１１，１２，１４，１５の何れかに入賞すると、遊技球１個の入賞につき入賞口１１，１２，１４，１５毎に設定された数（数個〜10数個）の遊技球が賞球として貯留皿６ａに払出される。
【００２１】
入賞口１１，１２，１４，１５の何れかに入賞した遊技球は、そこから遊技領域４ａの外部へ排出され、遊技領域４ａを流下する遊技球が入賞口１１，１２，１４，１５の何れにも入賞しないと、最終的に排出口１６から遊技領域４ａの外部へ排出される。
【００２２】
遊技球が第１，第２始動口１１，１２の何れかに入賞すると特別遊技抽選が行われ、その抽選で当選すると、大入賞口１４が開放する特別遊技が行われ、遊技球がゲート１３を通過すると補助遊技抽選が行われ、その抽選で当選すると、第２始動口１２が開放する補助遊技が行われる。遊技者は、遊技状態に応じて、特別遊技とその抽選、補助遊技とその抽選についてより有利になるように、発射ハンドル８を操作し発射装置５による遊技球の発射強度を変化させて遊技を行うことができる。
【００２３】
図４に示すように、遊技盤４にはセンタ役物２０が取付けられ、このセンタ役物２０に演出用の画像表示装置２１と可動役物装置２２が装備されている。センタ役物２０は、そのセンタ枠体２０ａが遊技盤４に形成されたセンタ開口（図示略）に嵌合装着され、そのセンタ枠体２０ａの下部には遊技球が転動するステージ２０ｂが形成されている。
【００２４】
センタ役物２０には、遊技領域４ａのうちセンタ役物２０の左側に位置する左遊技領域を流下する遊技球を導入してステージ２０ｂへ誘導することが可能なワープ通路２０ｃ（特殊通路２０ｃ）が設けられ、遊技球がステージ２０ｂを転動すると、ステージ２０ｂの中央の落下誘導部２０ｄから落下して、ステージ２０ｂを転動しない遊技球よりも第１始動口１１に入賞する可能性が高くなる。
【００２５】
画像表示装置２１は、その画面をパチンコ遊技機１の前側からセンタ枠体２０ａの内側を通して視認可能に配置され、この画像表示装置２１には、主に特別遊技抽選の結果に基づいた遊技演出が表示され、可動役物装置２２は、特定の遊技演出の一環として作動し、これらの演出用装置２１，２２は、共に遊技の進行に伴う演出を実行する。
【００２６】
ここで、遊技領域４ａを流下する複数の遊技球は、夫々その流下途中で幾つかの釘１０に繰り返し接触（衝突）し、減速されたり方向変換されたりして、こうした釘１０による誘導によって入賞口１１，１２，１４，１５の何れにも入賞しない、或いは入賞口１１，１２，１４，１５の何れかに入賞することが可能になる。
【００２７】
このように、複数の釘１０は遊技領域４ａにおける遊技球の流下を制御するものとなり、図４に示すように、その中でも遊技球が各入賞口１１〜１５に入賞し易いか否かが決められる命釘１０ａ〜１０ｅや、ワープ通路２０ｃに導入され易いか否かが決められる命釘１０ｆ等の主要な釘１０は、遊技機の性能において重要な役割を果たす。
【００２８】
尚、複数の釘１０の中には、命釘１０ａ〜１０ｆ以外に、ガイドレール９から遊技領域４ａに導入された遊技球が最初に接触する天釘、遊技球を目的の位置へ誘導するために連なって配置された誘導釘等の連釘、１本１本の釘１０の間を遊技球が通り抜け得る間隔を空けて独立に配置されたバラ釘等がある。
【００２９】
ところで、パチンコ遊技機１の製造工場では、複数の釘１０の配置が当該遊技機１の所期の遊技性能（出球率等）を発揮し得る所定の配置になるように、複数の釘１０が遊技盤４に、設計通りの位置に設計通りの角度（遊技盤４の盤面（前面）に対して略垂直になる角度）で取り付けられ、その状態のパチンコ遊技機１が製造・出荷される。
【００３０】
しかし、その後、遊技ホールに設置されたパチンコ遊技機１の複数の釘１０の配置が同遊技機１の出荷・製造時の複数の釘１０の配置と異なっていると、つまり所定の配置でなくなっていると、釘１０が当初の状態から故意に曲げられている（不正な改造が行われている）虞があり、特にその曲げられた釘１０が命釘１０ａ〜１０ｆ等の主要な釘１０であると、当該遊技機１の所期の性能が得られない虞がある。
【００３１】
こうした問題に着眼し、本発明のパチンコ遊技機１は、遊技盤４に取り付けられた複数の釘１０の配置が所定の配置である（例えば、パチンコ遊技機１の製造時（出荷時）の複数の釘１０の配置と同じである）か否かを、配置確認手段であるゲージボード３０を用いて確認可能にしたものである。
【００３２】
そのために、パチンコ遊技機１は、開閉扉３を閉じた状態でゲージボード３０を前記確認を可能にする確認位置（図４に仮想線で示し図９、図１０に実線で示すゲージボード３０の遊技盤４に対する所定位置）に配置可能なように、開閉扉３にゲージボード３０を着脱可能に取り付ける取付手段４０が設けられ、更に、ゲージボード３０が確認位置に配置されているか否かを判別可能な判別手段５０が、パチンコ遊技機１の遊技盤構造体である遊技盤４、及び遊技盤４に取り付けられた各種部材や装置（センタ役物２０等）のうちの遊技盤４に設けられている。
【００３３】
先ず、パチンコ遊技機１の遊技盤４に取り付けられた複数の釘１０の配置が所定の配置であるか否かを確認可能な遊技機用ゲージであるゲージボード３０について説明する。このゲージボード３０は、遊技盤４に取り付けられた全ての複数の釘１０の配置が所定の配置であるか否かを確認可能なものである。
【００３４】
図２、図３、図６〜図１０に示すように、ゲージボード３０は、不透明な合成樹脂製（又は木製、又はガラス製）のボードからなるゲージ本体３１と、ゲージ本体３１に全ての複数の釘１０の所定の配置に対応するように形成された複数の釘視認孔３２（釘の視認孔３２）とを備え、開閉扉３を閉じた状態で当該ゲージボード３０を確認位置に配置可能なように、パチンコ遊技機１の取付手段４０によって開閉扉３（遊技機構造体）にゲージ本体３１を着脱可能に取り付け可能に構成され、更に、当該ゲージボード３０が確認位置に配置されているか否かを判別する為のゲージ側判別手段３４を備えている。
【００３５】
ゲージ本体３１は、正面視にてガラス３ｂと同じサイズに形成され（図２〜図４に示すゲージボード３０を参照）、当該ゲージボード３０が確認位置に配置されているときに、その後側に全ての複数の釘１０を位置させ得る外形を有し、また、平滑な前面及び後面と、ガラス３ｂと同じ数mm（例えば、2 〜3mm ）程度の厚みを有し、開閉扉３に取り付けられた状態で撓み難いように形成されている。
【００３６】
複数の釘視認孔３２は、確認位置に配置された当該ゲージボード３０のゲージ本体３１の前側から、全ての複数の釘１０を個別に視認して、その釘１０の配置が所定の配置であるか否かを確認可能にゲージ本体３１に形成されている。各釘視認孔３２は、釘１０の頭部１０ａとほぼ同じサイズの断面円形の孔からなり、対応する釘１０が所定の配置であるとき、その頭部１０の中心が孔の中心を通して視認可能に形成されている。尚、釘１０の頭部１０ａと略同じサイズ以外の（頭部１０ａよりも多少大きな或いは小さな）サイズの釘視認孔３２としてもよし、断面円形以外の断面形状の釘視認孔３２としてもよい。
【００３７】
ゲージ側判別手段３４は、パチンコ遊技機１の判別手段５０と対応しており、当該ゲージボード３０が確認位置に配置されているときに、パチンコ遊技機１の判別手段５０の第２の基準部である盤側基準部５１と合致する第１の基準部であるゲージ側基準部３４ａであって、つまり当該ゲージボード３０が確認位置からズレて配置されているときには盤側基準部５１と合致しないゲージ側基準部３４ａを有し、このゲージ側基準部３４ａは、ゲージ本体３１のうち遊技領域４ａの前側に位置しない（つまり複数の釘視認孔３２が形成されていない）部位（本実施例ではゲージ本体３１の右下部）に設けられている。
【００３８】
ゲージ側基準部３４ａは、ゲージ本体３１に形成された適当な（比較的大きな）サイズの円形の基準開口３４ｂと、ゲージ本体３１の前面に印された（描かれた）鉛直基準線３４ｃ、及び水平基準線３４ｄとを有する。鉛直基準線３４ｃは、基準開口３４ｂの中心線と交差する鉛直線上においてゲージ本体３１の前面のうち基準開口３４ｂの上下両端側部分に形成され、水平基準線３４ｄは、基準開口３４ｂの中心線と交差する水平線上においてゲージ本体３１の前面のうち基準開口３４ｂの左右両端側部分に形成されている。
【００３９】
次に、パチンコ遊技機１の取付手段４０と判別手段５０について説明する。
図２、図３、図８に示すように、取付手段４０は、ガラス取付手段３ｅを利用して、開閉扉３からガラス３ｂが取り外された状態で、開閉扉３にガラス３ｂの代わりにゲージボード３０を着脱可能に取り付けるものであり、即ち、ガラス取付手段３ｅは、ガラス３ｂが取り外された状態で、取付手段４０として兼用可能である。
【００４０】
つまり、取付手段４０は４つの固定部３ｆを有し、開閉扉３が開けられ、４つの固定部３ｆの可動部３ｇを解除位置（図３（３））に切り換えて、ガラス３ｂが取り外された状態で、この取付手段４０によって、ゲージボード３０を開閉扉３にその裏面側から着脱可能になり、開閉扉３の所定のガラス取付位置に対応するボード取付位置に嵌め合わせ、４つの固定部３ｆの可動部３ｇを固定位置（図３（１）（２）、図８）に切り換えて、ゲージボード３０のゲージ本体３１の上部の左右両側部分、及び下部の左右両側部分を夫々４つの固定部３ｆに固定して、ゲージボード３０を開閉扉３に取り付け可能になる。
【００４１】
そして、開閉扉３に取り付けられたゲージボード３０を確認位置に配置可能なように、開閉扉３が閉じられた状態で、ゲージボード３０（ゲージ本体３１）が遊技盤４と平行に配置され、ゲージ本体３１の後面が、開閉扉３が閉じられ且つガラス３ｂが開閉扉３に取り付けられた状態におけるガラス３ｂの後面の位置と一致し、複数の釘１０の頭部１０ａがゲージ本体３１の後面に僅かな隙間を空けて近接する。
【００４２】
尚、図示省略するが、ゲージ本体３１のうち固定部３ｆにより固定される部分以外の複数の釘視認孔３２が形成される部分の厚みを多少厚くして、ゲージボード３０が取り付けられた開閉扉３が閉じられた状態で、複数の釘１０の頭部１０ａの前端側一部が複数の釘視認孔３２に遊嵌状に入り込むようにしてもよい。
【００４３】
図２、図４に示すように、判別手段５０は、ゲージボード３０が確認位置に配置されているときに、ゲージボード３０のゲージ側基準部３４ａと合致する盤側基準部５１であって、つまり当該ゲージボード３０が確認位置からズレて配置されているときにはゲージ側基準部３４ａと合致しない盤側基準部５１を有し、このボード側基準部５１は、遊技盤４のうち遊技領域４ａが形成されない部位に設けられている。
【００４４】
盤側基準部５１は、遊技盤４の前面に印された（描かれた）円形基準線５１ａ、鉛直基準線５１ｂ、及び水平基準線５１ｃを有する。円形基準線５１ａは、ゲージ側基準部３４ａの基準開口３４ｂと略同じ、或いはゲージ側基準部３４ａの基準開口３４ｂよりも多少小さめのサイズに形成され、鉛直基準線５１ｂは、円形基準線５１ａの中心線と交差する鉛直線上において、また、水平基準線５１ｃは、円形基準線５１ａの中心線と交差する鉛直線上において、互いに円形基準線５１ａの中心で交差する十字状に、且つ円形基準線５１ａよりも外側へ多少はみ出すように形成されている。
【００４５】
この判別手段５０によって、確認作業者が目視により盤側基準部５１とゲージ側基準部３４ａとが合致するか否かを確認して、ゲージボード３０が確認位置に配置されているか否かを判別可能になる。具体的には次のようにして判別を行う。
【００４６】
取付手段４０によりゲージボード３０が開閉扉３に取り付けられ、その開閉扉３が閉じられた状態で、盤側基準部５１の円形基準線５１ａがゲージ側基準部３４ａの基準開口３４ｂと一致するように基準開口３４ｂから見えているか、盤側基準部５１の鉛直基準線５１ｂ及び水平基準線５１ｃが夫々ゲージ側基準部３４ａの鉛直基準線３４ｃ及び水平基準線３４ｄと同一直線上に一致するように見えているかを確認し、全て一致するように見えていると、ゲージボード３０が確認位置に配置されていると判別でき、そう見えていないと、ゲージボード３０が確認位置に配置されていない、つまり確認位置からズレて配置されていると判別できる。
【００４７】
ここで、通常は、取付手段４０によりゲージボード３０が開閉扉３に取り付けられた状態で、その開閉扉３が閉じられるとゲージボード３０が確認位置に配置されるように遊技盤４に対して位置決めされていることになる故、盤側基準部５１とゲージ側基準部３４ａとが合致するようになっているが、合致しないということは、遊技盤４、取付手段４０、判別手段５０、ゲージボード３０、ゲージ側判別手段３４の何れかに問題がある（例えば、製造誤差や取り付け誤差が生じている）可能性があり、つまり、判別手段５０では、こうした問題の可能性があるか否かの判別を行い得るものにもなる。
【００４８】
以上のように、ゲージボード３０を開閉扉３に取り付けて、その開閉扉３を閉じてゲージボード３０が確認位置に配置されていると判別することができると、この確認位置に配置されたゲージボード３０を用いて、遊技盤４に取り付けられた複数の釘１０の配置が所定の配置であるか否かを間違いなく確認することが可能になる。
【００４９】
この釘１０の配置確認では、確認作業者が、確認位置に配置されたゲージボード３０の複数の釘視認孔３２から、遊技盤４に取り付けられた複数の釘１０を視認し、複数の釘１０の配置が所定の配置であるか否かを確認する。その際、釘１０（釘視認孔３２）毎に個別に１つ１つ視認して確認し、そこで、釘１０を視認する目線が、ゲージボード３０に対して垂直（或いは略垂直）になるように（図９（１）、図１０（１）参照）、視認対象の釘１０を変える毎に目の位置を変えて正確な確認を行うことが可能になる。
【００５０】
そして、図９（１）に示すように、視認対象の釘１０が所定の配置であると、確認作業者は、図９（２）に示すように、ゲージボード３０の対応する釘視認孔３２から、その視認可能領域の大部分に視認対象の釘１０の頭部１０ａが位置するように、視認対象の釘１０を視認可能（例えば、視認対象の釘１０の頭部１０ａの中心頂部１０ｂ（比較的平らになっている微小円形部分）の多くを視認可能）になり、これにより、視認対象の釘１０が所定の配置であることを確認することができる。
【００５１】
一方、図１０（１）に示すように、視認対象の釘１０が所定の配置でないと、確認作業者は、図１０（２）に示すように、ゲージボード３０の対応する釘視認孔３２から、その視認可能領域の大部分に遊技盤４の前面や視認対象の釘１０の頭部１０ａ以外の部分が位置するように、視認対象の釘１０を視認可能（例えば、視認対象の釘１０の頭部１０ａの中心頂部１０ｂの多くを視認不可能）になり、これにより、視認対象の釘１０が所定の配置でないことを確認することができる。
【００５２】
尚、ゲージボード３０のゲージ本体３１をある程度の厚み（例えば、4 〜6mm ）を有するものにすると、釘１０を視認しようとする目線が、ゲージボード３０に対する垂直方向から比較的大きく傾いていると、視認対象の釘１０が、その釘１０に対応するゲージ本体３１の釘視認孔３２の内壁面によって遮蔽され見えない。つまり、ゲージ本体３１のある程度の厚みは、釘１０を視認する目線が、ゲージボード３０に対して垂直（或いは略垂直）になっているか否かを確認できる役割を果たす。
【００５３】
こうして、複数の釘１０を１つ１つ視認し、その配置が所定の配置であるか否かを確認することができ、所定の配置でない釘１０が存在する場合には、その釘１０が何れかの釘か（何れの位置にあるものか、何れの役割を果たすものか（例えは、命釘であるか等））を特定することができる。
【００５４】
このように、本発明のパチンコ遊技機１によれば、開閉扉３を開けて、ガラス３ｂを開閉扉３から取り外して、ゲージボード３０を開閉扉３に取り付け安定させて、開閉扉３を閉めて、ゲージボード３０が確認位置に配置されていることを確認して、このゲージボード３０を用いて複数の釘１０の配置が所定の配置であるか否かを確認し証明することができる。
【００５５】
こうした釘１０の配置確認を終えると、ゲージボード３０を開閉扉３から取り外し、ガスラ３ｂを開閉扉３に取り付けるだけで、元の稼働させ得る状態のパチンコ遊技機１とすることができる。ここで、釘１０の配置が所定の配置でないことが確認されたパチンコ遊技機１については、釘１０の配置が所定の配置になるように復元して稼働させ得る状態にしたり、稼働させないように撤去したりすることができる。
【００５６】
依って、遊技ホールに設置されたパチンコ遊技機１の複数の釘１０の配置が、同遊技機１の出荷時（製造時）の複数の釘１０の配置と異なっていると、釘１０が当初の状態から故意に曲げられている（不正な改造が行われている）虞があり、特にその曲げられた釘１０が命釘１０ａ〜１０ｆ等の主要な釘であると、当該パチンコ遊技機１の所期の性能が得られない虞があるが、こうした課題を改善可能に対策を講じ得るものになる。
【００５７】
次に、実施例１を部分的に変更した実施例２〜５について説明する。尚、実施例２〜５において、前記実施例と基本的に同一の又は類似する（機能が同じ）構成については、同一の又は類似する符号を付して、適宜説明を省略する。
【実施例２】
【００５８】
図１１、図１２に示すように、実施例２のゲージボード３０Ａは、全ての複数の釘１０の配置ではなく、そのうちの一部の複数の釘１０の配置が所定の配置であるか否かを確認可能に構成したものである。本実施例における一部の複数の釘１０とは、センタ役物２０の下側にある複数の釘１０である。
【００５９】
ゲージボード３０Ａは、ゲージ本体３１Ａ、複数の釘視認孔３２、ゲージ側判別手段３４を備え、開閉扉３Ａを閉じた状態で当該ゲージボード３０Ａを確認位置に配置可能なように、パチンコ遊技機１Ａの取付手段４０Ａによって開閉扉３Ａにゲージ本体３１Ａを着脱可能に取り付け可能に構成されている。ゲージ本体３１Ａは、実施例１のゲージ本体３１の下側部分に相当するもの（サイズ）に形成され、このゲージ本体３１Ａに、複数の釘視認孔３２が一部の複数の釘１０の所定の配置に対応するように形成され、また、ゲージ側判別手段３４が設けられている。このゲージ側判別手段３４は、当該ゲージボード３０Ａが確認位置に配置されているか否かを判別する為のものである。
【００６０】
図１２に示すように、実施例２のパチンコ遊技機１Ａにおいて、取付手段４０Ａは、ガラス取付手段３ｅ（その一部）を利用して、開閉扉３Ａからガラス３ｂが取り外された状態で、開閉扉３Ａにガラス３ｂの代わりにゲージボード３０Ａを着脱可能に取り付けるものであり、即ち、ガラス取付手段３ｅは、ガラス３ｂが取り外された状態で、取付手段４０Ａとして兼用可能である。
【００６１】
この取付手段４０Ａは、ガラス取付手段３ｅの４つの固定部３ｆのうちの下側２つの固定部３ｆと、ガラス取付手段３ｅに含まれない２つの固定部３Ａｆとを有する。その２つの固定部３Ａｆは、夫々、他の固定部３ｆと同様に、開閉扉３Ａの裏面部のうち窓３ａに比較的近い部分に設けられ、ガスラ３ｂの面と直交する軸心回りに回動可能な可動部３Ａｇを有し、開閉扉３Ａが開けられた状態で、この可動部３Ａｇを操作して、固定位置と解除位置とに切り換え可能である。
【００６２】
開閉扉３Ａにガラス３ｂを着脱する際、２つの固定部３Ａｆの可動部３Ａｇが、ガラス取付手段３ｅの４つの固定部３ｆの可動部３ｇと同様に、解除位置に切り換えられて、ガラス３ｂと干渉しないようになる。ガラス３ｂを開閉扉３Ａのガラス取付位置に嵌め合わせて、４つの固定部３ｆの可動部３ｇを固定位置に切り換えて、ガラス３ｂが開閉扉３に取り付けられるが、このとき、２つの固定部３Ａｆの可動部３Ａｇを固定位置に切り換えることは必須ではないが、切り換えることで、２つの固定部３Ａｆは、ガラス３ｂの取り付けにも寄与するものになる。
【００６３】
ゲージボード３０Ａの着脱、及び取り付けについては、開閉扉３Ａが開けられ、４つの固定部３ｆの可動部３ｇと２つの固定部３Ａｆの可動部３Ａｇとを解除位置に切り換えて、ガラス３ｂが取り外された状態で、この取付手段４０Ａによって、ゲージボード３０Ａを開閉扉３にその裏面側から着脱可能になり、開閉扉３Ａの所定のボード取付位置に嵌め合わせ、下側２つの固定部３ｆの可動部３ｇと２つの固定部３Ａｆの可動部３Ａｇとを固定位置に切り換えて、ゲージボード３０Ａのゲージ本体３１Ａの下部の左右両側部分、及び上部の左右両側部分を夫々下側２つの固定部３ｆ、及び２つの固定部３Ａｆに固定して、ゲージボード３０Ａを開閉扉３Ａに取り付け可能になる。
【００６４】
そして、開閉扉３Ａに取り付けられたゲージボード３０Ａを確認位置に配置可能なように、開閉扉３Ａが閉じられた状態で、ゲージボード３０Ａ（ゲージ本体３１Ａ）が遊技盤４と平行に配置され、ゲージ本体３１Ａの後面が、開閉扉３Ａが閉じられ且つガラス３ｂが開閉扉３Ａに取り付けられた状態におけるガラス３ｂの後面の位置と一致し、一部の複数の釘１０の頭部１０ａがゲージ本体３１Ａの後面に僅かな隙間を空けて近接する。
【００６５】
尚、パチンコ遊技機１Ａの開閉扉３Ａに対して、ゲージボード３０Ａだけでなく、ゲージボード３０Ａの代わりに実施例１のゲージボード３０も取り付け可能であるので、ゲージボード３０を用いて全ての複数の釘１０の配置が所定の配置であるか否かを確認することも、ゲージボード３０Ａを用いて一部の複数の釘１０の配置が所定の配置であるか否かを確認することもでき、要するに必要に応じてゲージボード３０，３０Ａを使い分け可能になる。
【００６６】
尚、ゲージボード３０Ａにおいて、ゲージ本体３１Ａが、実施例１のゲージ本体３１と略同じサイズになるように大型に形成され、そのゲージ本体３１Ａに、全ての複数の釘１０に対応する複数の釘視認孔３２ではなく、一部の複数の釘１０に対応する複数の釘視認孔３２だけが形成されてもよい。そうすると、取付手段４０Ａ（２つの固定部３Ａｆ）を別途設ける必要がなくなり、実施例１の取付手段４０（ガラス取付手段３ｅだけ）を利用して、ゲージ本体３１Ａを開閉扉３に取り付け可能になる。
【００６７】
尚、ゲージボード３０Ａ（ゲージ本体３１Ａ、複数の釘視認孔３２、ゲージ側確認手段３４）、及びパチンコ遊技機１Ａの取付手段４０Ａ、確認手段５０については、センタ役物２０の下側にある一部の複数の釘１０とは異なる一部の複数の釘１０が所定の配置であるか否かを確認可能に構成可能である。
【実施例３】
【００６８】
図１３、図１４に示すように、実施例３のゲージボード３０Ｂは、複数の釘１０の配置が所定の配置であるか否かを、これら複数の釘１０のうちの主要な１又は複数の釘１０（本実施例では、複数の命釘１０ａ〜１０ｆ）が判るようにして確認可能に構成したものであり、実施例１のゲージボード３０を一部変更したものである。尚、実施例２のゲージボード３０Ａを一部変更したものとしてもよい。
【００６９】
このゲージボード３０Ｂにおいては、ゲージ本体３１Ｂの前面に、複数の釘視認孔３２のうち主要な複数の釘１０（命釘１０ａ〜１０ｆ）に対応する（主要な複数の釘１０を視認可能な）複数の主要な釘視認孔３２ａが、他の釘視認孔３２と識別可能な目印３５が印され（描かれ）ている。本実施例では、この目印３５の具体例として、ゲージ本体３１Ｂの前面には、主要な釘視認孔３２ａの周囲に環状の識別マークが印されている。
【００７０】
尚、目印３５としては、上記の具体例に限定されるものではなく、種々の構成を採用可能である。例えば、図１５に示すように、目印３５として、ゲージ本体３１Ｂの前面には、主要な釘視認孔３２ａの周囲に環状の識別マークと共に、この釘視認孔３２が主要な釘視認孔３２ａであることが判る文字「命釘」等の識別表記と、その識別表記の対象となる主要な釘視認孔３２ａを指す矢印が印されてもよい。
【００７１】
尚、この目印３５については、全ての命釘１０ａ〜１０ｆに対応する複数の釘視認孔３２に付設する必要はなく、一部の１又は複数の命釘に対応する１又は複数の釘視認孔３２にのみ付設してもよいし、命釘以外の種類の主要な釘１０（例えば、前記の天釘又は連釘等）に対応する釘視認孔３２に付設してもよい。目印３５を２種類以上の釘（例えば、命釘と連釘）に対応する主要な釘視認孔３２に付設する場合、その種類を識別可能に異なる態様（例えば、１の種類に対しては青色のマーク、他の１の種類に対しては赤色のマーク）の目印３５を設けてもよい。
【実施例４】
【００７２】
図１６〜図１８に示すように、実施例４のゲージボード３０Ｃは、透明な合成樹脂製（又はガラス製）のボードからなるゲージ本体３１Ｃと、ゲージ本体３１Ｃに印された（描かれた）全ての複数の釘１０の所定の配置を示す表示３２；釘配置表示３２Ｃとを備え、開閉扉３を閉じた状態で当該ゲージボード３０Ｃを確認位置に配置可能なように、パチンコ遊技機１の取付手段４０によって開閉扉３にゲージ本体３１Ｃを着脱可能に取り付け可能に構成され、更に、当該ゲージボード３０Ｃが確認位置に配置されているか否かを判別する為のゲージ側判別手段３４Ｃを備えている。
【００７３】
ゲージ本体３１Ｃは、実施例１のゲージ本体３１と同様に、正面視にてガラス３ｂと同じサイズに形成され、当該ゲージボード３０Ｃが確認位置に配置されているときに、その後側に全ての複数の釘１０を位置させ得る外形を有し、また、平滑な前面及び後面と、ガラス３ｂと同じ数mm（例えば、2 〜3mm ）程度の厚みを有し、開閉扉３に取り付けられた状態で撓み難いように形成されている。
【００７４】
複数の釘配置表示３２Ｃは、確認位置に配置された当該ゲージボード３０Ｃのゲージ本体３１Ｃの前側から、全ての複数の釘１０を個別に視認して、その釘１０の配置が所定の配置であるか否かを確認可能にゲージ本体３１Ｃの前面又は後面に印されている。各釘配置表示３２Ｃは、縦線と横線を交差させた十字線からなり、対応する釘１０が所定の配置であるとき、その頭部１０の中心が十字線の交点を通して視認可能に印されている。尚、十字線とする以外に、前記交点に位置する単なる点や、前記交点を中心とする円（例えば、釘１０の頭部１０ａと略同じサイズの円）からなる釘配置表示３２Ｃとしてもよい。
【００７５】
ゲージ側判別手段３４Ｃは、パチンコ遊技機１の判別手段５０と対応しており、当該ゲージボード３０Ｃが確認位置に配置されているときに、パチンコ遊技機１の判別手段５０の第２の基準部である盤側基準部５１と合致する第１の基準部であるゲージ側基準部３４Ｃａであって、つまり当該ゲージボード３０Ｃが確認位置からズレて配置されているときには盤側基準部５１と合致しないゲージ側基準部３４Ｃａを有する。
【００７６】
このゲージ側基準部３４Ｃａは、ゲージ本体３１Ｃの前面又は後面に印された（描かれた）円形基準線３４Ｃｂ、鉛直基準線３４Ｃｃ、及び水平基準線３４Ｃｄを有し、これら基準線３４Ｃｂ，３４Ｃｃ，３４Ｃｄは、パチンコ遊技機１の盤側基準部５１（円形基準線５１ａ、鉛直基準線５１ｂ、及び水平基準線５１ｃ（図４参照））と同様に、それらと略同サイズに形成されている。
【００７７】
つまり、ゲージボード３０Ｃが開閉扉３に取り付けられ、その開閉扉３が閉じられた状態で、盤側基準部５１の円形基準線５１ａとゲージ側基準部３４Ｃａの円形基準線３４Ｃｂが同一円上に一致するように見えているか、また、盤側基準部５１の鉛直基準線５１ｂ及び水平基準線５１ｃとゲージ側基準部３４Ｃａの鉛直基準線３４Ｃｃ及び水平基準線３４Ｃｄが夫々同一直線上に一致するように見えているかを確認し、全て一致するように見えていると、ゲージボード３０Ｃが確認位置に配置されていると判別でき、そう見えていないと、ゲージボード３０Ｃが確認位置に配置されていない（確認位置からズレて配置されている）と判別できる。
【００７８】
ゲージボード３０Ｃが確認位置に配置された状態で行う釘１０の配置確認では、図１７（１）に示すように、視認対象の釘１０が所定の配置であると、確認作業者は、図１７（２）に示すように、ゲージボード３０Ｃの対応する釘配置表示３２Ｃから、その十字線の交点を通して視認対象の釘１０の頭部１０ａを視認可能（例えば、視認対象の釘１０の頭部１０ａの中心頂部１０ｂを視認可能）になり、これにより、視認対象の釘１０が所定の配置であることを確認することができる。
【００７９】
一方、図１８（１）に示すように、視認対象の釘１０が所定の配置でないと、確認作業者は、図１８（２）に示すように、ゲージボード３０Ｃの対応する釘配置表示３２Ｃから、その十字線の交点を通して視認対象の釘１０の頭部１０ａを視認不可能（例えば、視認対象の釘１０の頭部１０ａの中心頂部１０ｂを視認不可能）になり、これにより、視認対象の釘１０が所定の配置でないことを確認することができる。
【００８０】
尚、図示省略するが、実施例２のゲージボード３０Ａが一部の複数の釘１０の配置が所定の配置であるか否かを確認可能なものであるのと同じように、ゲージボード３０Ｃにおいて、全ての複数の釘１０の配置ではなく、そのうちの一部の複数の釘１０の配置が所定の配置であるか否かを確認可能なものに構成してもよい。
【実施例５】
【００８１】
図１９、図２０に示すように、実施例５のゲージボード３０Ｄは、実施例４のゲージボード３０Ｃを一部変更し、実施例３のゲージボード３０Ｂと同様の機能が得られるように、複数の釘１０の配置が所定の配置であるか否かを、これら複数の釘１０のうちの主要な１又は複数の釘１０（本実施例では、複数の命釘１０ａ〜１０ｆ）が判るようにして確認可能に構成したものである。
【００８２】
このゲージボード３０Ｄにおいては、ゲージ本体３１Ｄの前面又は後面に、複数の釘配置表示３２Ｃのうち主要な複数の釘１０（命釘１０ａ〜１０ｆ）に対応する複数の主要な釘配置表示３２Ｃａが、他の釘配置表示３２Ｃと識別可能な目印３６が印され（描かれ）ている。本実施例では、この目印３６の具体例として、ゲージ本体３１Ｄの前面又は後面には、主要な釘配置表示３２Ｃａの十字線の交点を中心とする２重円が印されている。
【００８３】
尚、目印３６としては、上記の具体例に限定されるものではなく、種々の構成を採用可能である。例えば、図示省略するが、目印３６として、ゲージ本体３１Ｄの前面又は後面には、主要な釘配置表示３２Ｃａの十字線の交点を中心とする２重円と共に、この釘配置表示３２Ｃが主要な釘配置表示３２Ｃａであることが判る文字「命釘」等の識別表記と、その識別表記の対象となる主要な釘視認孔３２Ｃａを指す矢印が印されてもよい。
【００８４】
尚、この目印３６については、全ての命釘１０ａ〜１０ｆに対応する釘配置表示３２Ｃに付設する必要はなく、一部の１又は複数の命釘に対応する１又は複数の釘配置表示３２Ｃにのみ付設してもよいし、命釘以外の種類の主要な釘１０（例えば、前記の天釘又は連釘等）に対応する釘視認孔３２に付設してもよい。目印３６を２種類以上の釘（例えば、命釘と連釘）に対応する主要な釘配置表示３２Ｃに付設する場合、その種類を識別可能に異なる態様（例えば、１の種類に対しては１重円、他の１の種類に対しては２重円）の目印３６を設けてもよい。
【００８５】
尚、その他の変形例として、ゲージ側判別手段３４，３４Ｃ、判別手段５０において、前記のゲージ側基準部３４，３４Ｃａ、盤側基準部５１以外に種々ゲージ側基準部、盤側基準部を設けてもよい。例えば、ゲージボード３０，３０Ａ〜３０Ｄのゲージ本体３１，３１Ａ〜３１Ｄの２つ端縁（例えば、左端縁、下端縁）を利用して、これらをゲージ側基準部とし、遊技盤４側に、ゲージボード３０，３０Ａ〜３０Ｄが確認位置のときに、前記のゲージ側基準部（左端縁、下端縁）と合致する盤側基準部（例えば、水平線、鉛直線）を設けてもよい。尚、盤側基準部５１を、遊技盤ではなくて遊技盤４に取り付けられた各種部材や装置（センタ役物２０等）に設けてもよい。
【００８６】
尚、取付手段４０，４０Ａにより、ゲージボード３０，３０Ａ〜３０Ｄが開閉扉３，３Ａに取り付けられ、その開閉扉３，３Ａが閉じられたた状態で、ゲージボード３０，３０Ａ〜３０Ｄが確認位置に配置されるように遊技盤４に対して位置決めされていることになる故、ゲージ側判別手段３４，３４Ｃ、判別手段５０を省略してもよい。
【００８７】
尚、取付手段４０，４０Ａを利用せずに、開閉扉３，３Ａを閉じた状態でゲージボード３０，３０Ａ〜３０Ｄを確認位置に配置可能なように、開閉扉３，３Ａにゲージボード３０，３０Ａ〜３０Ｄを着脱可能に取り付ける取付手段（例えば、既存のクランプ機構等を利用したもの）を設けてもよい。
【００８８】
この場合、ゲージボードのゲージ本体を、その外形と厚みがガラス３ｂに必ずしも対応するものとしないで構成することができ、また、開閉扉３，３Ａからガラス３ｂを取り外すことなく、つまり開閉扉３，３Ａにガラス３ｂを取り付けたままゲージボードを取り付け（この場合、ゲージ本体の厚みを薄くして、或いはシート状にしてガラス３ｂに近接又は接触状に取り付け可能にしてもよい）、その開閉扉３，３Ａを閉じて、ゲージボードを確認位置に配置可能に構成することができる。
【００８９】
その他、本発明の趣旨を逸脱しない範囲において、前記開示事項以外の種々の構成を付加して実施可能である。例えば、ゲージボードを用いて、釘以外の誘導手段（例えば、所謂風車やブロック状の誘導部等）の配置が所定の配置か否かを確認可能なものにしてもよい。また、実施例１〜５や、その変形例の構成を部分的に組み合わせたパチンコ遊技機、或いはゲージボードとすることができる。
【符号の説明】
【００９０】
１，１Ａ  パチンコ遊技機（遊技機）
３，３Ａ  開閉扉（遊技機構造体）
３ｅ  ガラス取付手段
４  遊技盤（遊技盤構造体）
１０  釘（誘導手段）
２０  センタ役物（遊技盤構造体）
３０，３０Ａ，３０Ｂ，３０Ｃ，３０Ｄ  ゲージボード（配置確認手段）
３４ａ，３４Ｃａ  ゲージ側基準部（第１の基準部）
４０，４０Ａ  取付手段
５１  盤側基準部（第２の基準部）
【図１】
2019135008.tif 000003
【図２】
2019135008.tif 000004
【図３】
2019135008.tif 000005
【図４】
2019135008.tif 000006
【図５】
2019135008.tif 000007
【図６】
2019135008.tif 000008
【図７】
2019135008.tif 000009
【図８】
2019135008.tif 000010
【図９】
2019135008.tif 000011
【図１０】
2019135008.tif 000012
【図１１】
2019135008.tif 000013
【図１２】
2019135008.tif 000014
【図１３】
2019135008.tif 000015
【図１４】
2019135008.tif 000016
【図１５】
2019135008.tif 000017
【図１６】
2019135008.tif 000018
【図１７】
2019135008.tif 000019
【図１８】
2019135008.tif 000020
【図１９】
2019135008.tif 000021
【図２０】
2019135008.tif 000022